【手続補正書】
【提出日】平成17年8月8日(2005.8.8)
【手続補正１】
【補正対象書類名】明細書
【補正対象項目名】発明の名称
【補正方法】変更
【補正の内容】
【発明の名称】情報処理装置および方法、並びに、プログラム
【手続補正２】
【補正対象書類名】明細書
【補正対象項目名】特許請求の範囲
【補正方法】変更
【補正の内容】
【特許請求の範囲】
【請求項１】
第１のフォーマットで記録されたコンテンツデータを再生する再生装置と接続する接続手段と、
前記接続手段に接続された前記再生装置により再生される前記コンテンツデータを取得するコンテンツデータ取得手段と、
前記コンテンツデータ取得手段により取得された前記コンテンツデータのフォーマットを、前記第１のフォーマットから第２のフォーマットに変換する変換手段と、
前記変換手段により第２のフォーマットに変換された前記コンテンツデータを、情報処理装置から着脱自在な所定の記録媒体に記録させるように制御する記録制御手段と、
前記再生装置より供給される、前記接続手段に前記再生装置が接続され、かつ、前記再生装置による前記コンテンツデータの再生が可能であることを表す信号を検出する検出手段と、
前記検出手段により前記信号が検出された場合、前記コンテンツデータ取得手段、前記変換手段、および、前記記録制御手段の処理を、一連の処理として、その順番で連続して実行させるように制御する処理制御手段と
を備えることを特徴とする情報処理装置。
【請求項２】
前記接続手段に接続された前記再生装置による前記コンテンツデータの再生を制御する再生制御手段と、
前記再生制御手段により再生が制御された前記コンテンツデータから、前記コンテンツデータの時間情報を取得する情報取得手段と
をさらに備え、
前記コンテンツデータ取得手段は、前記再生制御手段により再生が制御された前記コンテンツデータを取得し、
前記記録制御手段は、前記情報取得手段により取得された前記コンテンツデータの前記時間情報に基づいて、前記第２のフォーマットの前記コンテンツデータを、前記記録媒体に記録させるように制御し、
前記処理制御手段は、前記検出手段により前記信号が検出された場合、前記情報取得手段の処理を、前記一連の処理のうちの１つの処理として、前記記録制御手段の処理の前に実行させるように制御する
ことを特徴とする請求項１に記載の情報処理装置。
【請求項３】
前記再生装置は、デジタルビデオテープレコーダであり、
前記第１のフォーマットは、前記デジタルビデオテープレコーダのフォーマットであり、
前記コンテンツデータ取得手段により取得される前記コンテンツデータは、前記デジタルビデオテープレコーダに装着されたデジタルビデオテープに記録されており、
前記再生制御手段は、前記デジタルビデオテープレコーダに装着された前記デジタルビデオテープの、再生、早送り、および、巻き戻しの処理、並びに前記処理の停止を制御する
ことを特徴とする請求項２に記載の情報処理装置。
【請求項４】
前記コンテンツデータは、動画像、および前記動画像に対応する音声からなるデータであり、
前記情報取得手段により取得された前記コンテンツデータの前記時間情報に基づいて、前記記録制御手段の制御により前記記録媒体に前記コンテンツデータが記録される場合における、前記コンテンツデータの前記動画像の画質、および、画サイズ、並びに、前記音声の音質を決定する決定手段をさらに備え、
前記記録制御手段は、前記決定手段により決定された前記動画像の画質、および、画サイズ、並びに、前記音声の音質で、前記コンテンツデータを、前記記録媒体に記録させるように制御し、
前記処理制御手段は、前記検出手段により前記信号が検出された場合、前記決定手段の処理を、前記一連の処理のうちの１つの処理として、前記情報取得手段の処理の後であって、かつ、前記記録制御手段の処理の前に実行させるように制御する
ことを特徴とする請求項２に記載の情報処理装置。
【請求項５】
前記第２のフォーマットは、DVD規格により規定されているフォーマットであり、
前記情報取得手段により取得された前記コンテンツデータの前記時間情報に基づいて、前記コンテンツデータ取得手段により取得された前記コンテンツデータのDVDメニューを生成する生成手段をさらに備え、
前記記録制御手段は、前記生成手段により生成された前記DVDメニューに基づいて、前記第２のフォーマットの前記コンテンツデータを、前記記録媒体に記録させるように制御し、
前記処理制御手段は、前記検出手段により前記信号が検出された場合、前記生成手段の処理を、前記一連の処理のうちの１つの処理として、前記情報取得手段の処理の後であって、かつ、前記記録制御手段の処理の前に実行させるように制御する
ことを特徴とする請求項４に記載の情報処理装置。
【請求項６】
所定の条件をトリガとして、情報処理装置に、
所定の再生装置により再生された第１のフォーマットのコンテンツデータを取得するコンテンツデータ取得ステップと、
前記コンテンツデータ取得ステップの処理により取得された前記コンテンツデータのフォーマットを、前記第１のフォーマットから第２のフォーマットに変換する変換ステップと、
前記変換ステップの処理により前記第２のフォーマットに変換された前記コンテンツデータを、前記コンピュータから着脱自在な記録媒体に記録させるように制御する記録制御ステップとを、
一連の処理として、その順番で連続して実行させる
ことを特徴とする情報処理方法。
【請求項７】
所定の条件をトリガとして、コンピュータに、
所定の再生装置により再生された第１のフォーマットのコンテンツデータを取得するコンテンツデータ取得ステップと、
前記コンテンツデータ取得ステップの処理により取得された前記コンテンツデータのフォーマットを、前記第１のフォーマットから第２のフォーマットに変換する変換ステップと、
前記変換ステップの処理により前記第２のフォーマットに変換された前記コンテンツデータを、前記コンピュータから着脱自在な記録媒体に記録させるように制御する記録制御ステップとを、
一連の処理として、その順番で連続して実行させる
ことを特徴とするプログラム。
【請求項８】
前記コンピュータに、
前記再生装置より供給される、前記コンピュータに前記再生装置が接続され、
かつ、前記再生装置による前記コンテンツデータの再生が可能であることを表す信号が入力された場合、所定のシンボルを表示させるように制御する表示制御ステップと、
前記表示制御ステップの処理により表示が制御された前記シンボルがユーザにより選択されたことを検出する検出ステップと
をさらに実行させ、
前記検出ステップの処理により前記シンボルがユーザにより選択されたことが検出された場合、それを前記トリガとして、前記コンピュータに、
前記コンテンツデータ取得ステップ、前記変換ステップ、および、前記記録制御ステップを、一連の処理として、その順番で連続して実行させる
ことを特徴とする請求項７に記載のプログラム。
【手続補正３】
【補正対象書類名】明細書
【補正対象項目名】０００１
【補正方法】変更
【補正の内容】
【０００１】
【発明の属する技術分野】
本発明は、情報処理装置および方法、並びに、プログラムに関し、特に、第１のフォーマットで第１の記録媒体に記録されたビデオデータを、第２のフォーマットで第２の記録媒体に記録させるまでの一連の処理を、ユーザの手動操作を介することなく実行させることができるようにした情報処理装置および方法、並びに、プログラムに関する。
【手続補正４】
【補正対象書類名】明細書
【補正対象項目名】００１４
【補正方法】変更
【補正の内容】
【００１４】
本発明の情報処理方法／プログラムは、所定の条件をトリガとして、所定の再生装置により再生された第１のフォーマットのコンテンツデータを取得するコンテンツデータ取得ステップと、コンテンツデータ取得ステップの処理により取得されたコンテンツデータのフォーマットを、第１のフォーマットから第２のフォーマットに変換する変換ステップと、変換ステップの処理により第２のフォーマットに変換されたコンテンツデータを、コンピュータから着脱自在な記録媒体に記録させるように制御する記録制御ステップとを、一連の処理として、その順番で連続して情報処理装置／コンピュータに実行させることを特徴とする。
【手続補正５】
【補正対象書類名】明細書
【補正対象項目名】００１６
【補正方法】変更
【補正の内容】
【００１６】
本発明の情報処理装置、情報処理方法、および、プログラムにおいては、所定の再生装置より供給される、再生装置が情報処理装置に接続され、かつ、再生装置によるコンテンツデータの再生が可能であることを表す信号が検出されると、それがトリガとされて、再生装置により再生された第１のフォーマットのコンテンツデータが情報処理装置内に取得され、取得されたコンテンツデータのフォーマットが、第１のフォーマットから第２のフォーマットに変換され、第２のフォーマットに変換されたコンテンツデータが、情報処理装置から着脱自在な記録媒体に記録されるまでの処理が、一連の処理として、その順番で連続して実行される。
【手続補正６】
【補正対象書類名】明細書
【補正対象項目名】００１９
【補正方法】変更
【補正の内容】
【００１９】
なお、本発明は、勿論、上述した本発明の第１のプログラムを記録する記録媒体にも適用可能である。